(57)【要約】      （修正有）【課題】簡単に参加でき、且つ、実際に参加しているような気分になる仮想葬儀方法を提供する。【解決手段】仮想葬儀方法は、現場の葬儀場の風景を撮影した画像と、祭壇等記憶している葬儀関係画像と、故人の情報から、仮想葬儀場をメインコンピュータ１上に作成し、仮想葬儀場をインターネット２上に公開する。遺族からの情報に基づき、関係者にメール又は郵便で仮想葬儀場の存在を通知し、現場の葬儀場には来ないが仮想葬儀場に参加希望者（疑似参加者）のコンピュータ端末３からの操作によって、香典、花、果物、蝋燭、線香等の供物を仮想葬儀空間上に追加することを可能とする。【選択図】図１
2019191692.tif 000002
【特許請求の範囲】
【請求項１】
現場の葬儀場の風景を撮影した画像、祭壇等記憶している葬儀関係画像、及び故人の情報から仮想葬儀場をメインコンピュータ上に作成し、
上記仮想葬儀場をインターネット上に公開し、
遺族からの情報に基づき、関係者にメール又は郵便で上記仮想葬儀場の存在を通知し、
現場の葬儀場には来ないが前記仮想葬儀場に参加希望者（疑似参加者）のコンピュータ端末からの操作によって、香典、花、果物、蝋燭、線香等の供物を仮想葬儀空間上に追加することができ、その供物の追加費用はインターネット上で決算ができ、
且つ、花と果物については、コンピュータ上に現実のものの写真を表示され、それの１又は複数選択すると所定の業者コンピュータに接続され自動的に発注され、現実のものが実際の葬儀場に届けられ、
前記疑似参加者のコンピュータ端末からの前記疑似参加者自身の画像が少なくとも１人分前記メインコンピュータに送信され、
前記疑似参加者自身の画像を、葬儀場の画面上で所定の席位置に着席しているように前記仮想葬儀場に組み込み、
さらに、前記疑似参加者自身の画像を一定の処理をして焼香をしている姿に加工し、所定時間経過後、一定の順序で画面上で焼香しているように表示することを特徴とする仮想葬儀方法。
【請求項２】
前記メインコンピュータに故人の経験及び病歴を記憶させ、画面に現れたロボットをクリックすることによって、そのロボットと故人について話しができるものである請求項１記載の仮想葬儀方法。
【請求項３】
実際の葬儀場で、僧侶が読経する様子をカメラで撮影し、それを前記画面にはめ込むものである請求項１又は２記載の仮想葬儀方法。
【発明の詳細な説明】
【技術分野】
【０００１】
本発明は、仮想葬儀システムに関するものである。
【背景技術】
【０００２】
従来、葬儀は自宅、葬儀場、公民館等で行われるもので、故人の知り合いや親戚の人々が集まり、故人を偲ぶものである。勿論、葬儀は結婚式等と異なり、突然生じるものであり、予めその日を決めて準備することはできない。しかし、昔のように、ほとんどの人々は地元から転居することなく、また逆に葬儀に参加しようとする人のほとんどが地元に居る場合は問題が少ない。
【０００３】
しかし、最近では仕事によって遠方に転居した人や、結婚で遠方に転居した人が多く、また突然のことであり、種々の避けられない用事のある人、病気や怪我で来られない人等が少なからず居ることになる。このような場合、その人々は来られないままで葬儀が行われることになり、非常に寂しい思いをすることになる。
【０００４】
このような寂しい思いを軽減するため、最近では仮想葬儀も考えられてきている。即ち、インターネット上で葬儀を行い、それに遠方の人等が参加するものである。例えば、特許文献１のような方法である。
この先行技術は、葬儀のホームページをインターネットで公開し、それに特定の人々が参加し、香典を上げることや、花輪を有料で追加することもでき、それらが画面上で反映されるように構成されている。
【０００５】
しかしながら、この従来の方法では、葬儀場では、花輪や果物等は仮想で追加でき賑やかにはなるが、参列者が実際の葬儀場に参加したわずかな人々のみであり、仮想空間上でも寂しいものである。大勢の人々が集まり、皆で送るようにはならない。
【先行技術文献】
【特許文献】
【０００６】
【特許文献１】特開２００２−２２２２７８
【発明の概要】
【発明が解決しようとする課題】
【０００７】
そこで、従来のような欠点がなく、簡単に参加でき、且つ実際に参加しているような気分になる仮想葬儀方法を提供する。
【課題を解決するための手段】
【０００８】
以上のような現状に鑑み、本発明者は鋭意研究の結果、本発明仮想葬儀方法を完成したものであり、その特徴とするところは、現場の葬儀場の風景を撮影した画像、祭壇等記憶している葬儀関係画像、及び故人の情報から仮想葬儀場をメインコンピュータ上に作成し、
上記仮想葬儀場をインターネット上に公開し、
遺族からの情報に基づき、関係者にメール又は郵便で上記仮想葬儀場の存在を通知し、
現場の葬儀場には来ないが前記仮想葬儀場に参加希望者（疑似参加者）のコンピュータ端末からの操作によって、香典、花、果物、蝋燭、線香等の供物を仮想葬儀空間上に追加することができ、その供物の追加費用はインターネット上で決算ができ、
前記疑似参加者のコンピュータ端末からの前記疑似参加者自身の画像が少なくとも１人分前記メインコンピュータに送信され、
前記疑似参加者自身の画像を、葬儀場の画面上で所定の席位置に着席しているように前記仮想葬儀場に組み込み、
さらに、前記疑似参加者自身の画像を一定の処理をして焼香をしている姿に加工し、所定時間経過後、一定の順序で画面上で焼香しているように表示する点にある。
【０００９】
ここで現場の葬儀場の風景を撮影した画像については、実際に葬儀場を準備し、そこに祭壇を設け、その葬儀場をカメラで撮影した画像である。これが、仮想葬儀場の基本画像になる。この時に、使用する施設については、例えば、葬儀会館、故人の家、町内会館、寺、その他どのような施設であってもよい。また、祭壇はどの宗派のものでもよい。花や果物その他の供物もあってもなくてもよい。
【００１０】
葬儀関係画像とは、記憶されている種々の葬儀に関する画像であり実際のものを撮影したものでも、コンピュータグラフィックで作成したものでもよい。
【００１１】
故人の情報とは、少なくとも故人の氏名、宗派、戒名、年齢である。これ以外の情報も含めても問題は無い。例えば、職業、学歴、住所、家族構成等である。
【００１２】
上記の画像や情報から、仮想葬儀場をメインコンピュータ上に作成するのである。これは、葬儀の喪主が決めればよく、仮想のもので追加も可能であるがその基本となるものである。現実のものを撮影したものだけでも、仮想のものが多くてもよい。
コンピュータ上に作成する方法は、画面として見れる状態にすればよく従来の方法でよい。作成する者（名目上）は、葬儀の主催者であり、喪主であっても葬儀社であっても、市や町内会であってもよい。
【００１３】
上記の仮想葬儀場をインターネット上に公開する方法としては、いわゆるホームページを作成する方法と同様でよく、公知の方法でよい。
【００１４】
遺族からの情報に基づき、関係者にメール又は郵便で上記仮想葬儀場の存在を通知する。これは、まず遺族から、この仮想葬儀場の存在を知らせる人々の住所、氏名、及びもし分かればメールアドレスを提供してもらい、その人々に通知するのである。通知する内容は、単に故人が亡くなったことと、仮想葬儀場の存在を通知するだけでなく、参加できることを知らせるのである。
【００１５】
現場の葬儀場には来ないがこの仮想葬儀場に参加希望者（疑似参加者）とは、例えば、参列したいが遠方で来られない人、病気や怪我で来られない人、その他忙しい人などである。この疑似参加者は、自身のコンピュータ端末（自身又は代理人が操作しデータを送ることができるコンピュータ端末であり、スマートホンなどコンピュータの機能を有するものを含む）からの操作で上記の仮想葬儀場に参加することができる。
【００１６】
仮想葬儀場に参加するとは、単に仮想葬儀場を見るだけでなく、何らかのデータや指示を仮想葬儀場のあるホームページに送信することを言う。例えば、香典、花、果物、蝋燭、線香等の供物を仮想葬儀空間上に追加するように指示することである。
香典とは、一定の金額を指定して依頼すると、名前が書かれた香典袋が祭壇の前に置かれた状態になり、その金額の香典が喪主に送金されることになる。そのため、ネット上の送金システムを利用する。この方法も従来のネットでの買い物等と同様の方法であり特別な方法でなくてもよい。
【００１７】
花は、葬儀に使用する花の形態を仮想葬儀場で複数準備し、その中から選択できるようにすればよい。それぞれに値段をつけて、そのなかから適当な花を１又は複数選び上記と同様の送金システムで送金する。実際の葬儀で、高価な花を供える人や少し小さな花の人等がいるのと同様である。勿論、献花すると、仮想葬儀場がその花で飾られることになる。
【００１８】
果物も花と同様であり、種々の果物、及びそれらを盛り合わせたものを複数準備して値段を付けて見えるようにする。そして、花と同様にそのなかから１つ又は複数を選択して送信すればよい。送金も同様である。
【００１９】
また、この花と果物は、画面上の仮想のものだけでなく、現実のもの（現物）を実際の葬儀場に供えることを、疑似参加者のコンピュータからの入力によって依頼することもできる。これは、葬儀主催者に依頼することもできるが、販売者（花屋、果物屋等）のコンピュータに直接入力でき、そのことインターネット上での決済もできるようにする。例えば、画面上で１つ選び、注文すると、販売会社からその花が葬儀場に搬入され、すぐにカメラからの画像により、仮想葬儀場に反映される。仮想のものと比較して、やはり現実のものであるので見た目が美しい。
【００２０】
蝋燭は、通常は灯の付いた蝋燭が飾られているが、なくなりそうな場合には、疑似参加者がつけてもよい。これも金額を決めてもよいが、無料でもよい。太さや形状の異なるものから選択できるようにしてもよい。
【００２１】
線香も蝋燭と同様、通常は煙の出ている線香があるが、なくなりそうな場合には、疑似参加者がつけてもよい。これも金額を決めてもよいが、無料でもよい。色や長さ、形状の異なるものから選択できるようにしてもよい。
【００２２】
更に、疑似参加者自身の画像が少なくとも１人分は前記メインコンピュータに送信される。疑似参加者自身の画像とは、疑似参加者自身がカメラで撮影した自身の顔又は全体像であり、知人であればその人を特定できる程度の画像である。勿論、疑似参加者全員が送信する必要はない。
【００２３】
この疑似参加者の画像を、メインコンピュータ上で、告別式の会場で、椅子席又は畳席等で着座している画像に加工し、必要ならば服装も喪服に改め、所定の場所に着座した画像を作成する。所定の場所とは、例えば、親戚であれば親等の順番等であるが、喪主が適当に決めたものでもよい。また、親戚でなければ、喪主又は親戚でよく知っている人に決めてもらってもよい
【００２４】
このような人々が着席した画面を前からや後ろからだけでなく、種々の角度から見えるようにする。そして、この告別式には誰と誰が疑似出席しているか分かるようにする。
【００２５】
さらに、前記した疑似参加者の画像を加工して、焼香している画像にする。そして、一定の順番で、焼香している動画にするのである。これも、疑似参加者が見ることができるようにする。この順番も親等の順等によって適宜きめればよい。
【００２６】
以上が本発明の必須要件であるが、さらに仮想葬儀場にロボットを現し、そのロボットをクリックすれば、故人に関する話をできるようにしてもよい。そのためには、故人の情報をできるだけ記憶させておく。そして、最近のお話ロボットのように話ができるようにするのである。例えば、会社はどこでしたか、○○株式会社でした、等である。
【００２７】
また、僧侶が読経する様子も見せてもよい。
さらに、故人の顔や全体像、さらには棺等も見えるようにしてもよい。
【００２８】
以上のような状態は、コンピュータの画面上で、見る人全員に同じ画像が見えるようにしてもよいが、それぞれ所定のスイッチによって、繰り返し見ることや、所定の事柄を飛ばして見ることができるようにしてもよい。
【発明の効果】
【００２９】
本発明には次のような効果がある。
（１）  実際の葬儀に参加できない人でも、疑似的に参加でき、また誰が参加しているかもわかり、遠い親戚の人の顔も見ることができ懐かしく感じる。
（２）  香典や花を簡単に供えることができ、供養の気持ちを表すこともできる。
（３）  焼香ができるため、実際に参加している気分になる。
（４）  関係者に自動的に連絡がいくため便利であり、喪主や親戚も便利である。
【図面の簡単な説明】
【００３０】
【図１】本発明仮想葬儀方法のシステムの全体像を示す概略図である。
【図２】実際の祭壇の様子を示す正面図である。
【図３】供物の1つである献花の例を示す正面図である。
【図４】葬儀場の全体を示す斜視図である。
【図５】焼香をしているところを示す斜視図である。
【発明を実施するための形態】
【００３１】
以下図面に示す実施例に基づいて、本発明をより詳細に説明する。
図１は、本発明仮想葬儀方法のシステムの全体像を示す概略図である。主催者のメインコンピュータ１からインターネット２を介して疑似参加者コンピュータ３に繋がっている。メインコンピュータ１から疑似参加者へ連絡でき、かつ疑似参加者からメインコンピュータ１に送信できることがわかる。
【００３２】
図２は、実際の祭壇４の様子を示す図である。これを撮影して、仮想葬儀場の基本画像にしている。この例では、基本画像には、記憶している他の画像をプラスしていない。
【００３３】
図３は、供物の1つである献花５の例を示すもので、この図は、実際の花の図であり、疑似参加者がこれらを選択して注文すると、自動的に契約している花販売者に送信され、そこでインターネット決済され、現実の花が実際の葬儀場に搬入される。
このように現実の花があれば、棺の中に入れることができる。
【００３４】
このような現物の花以外の仮想の花も供えることができる。この場合には、当然であるが、現実の葬儀場にはないが、画面上では見えている。この仮想の花や果物は、安価にしているため、多数のお供えが予想され、画面上は豪華な葬儀になる。
【００３５】
図４は、葬儀場の全体像の１例である。ここでは、現実に葬儀場には人６は４人しかいないのであるが、疑似参加者７があたかも列席しているように見えている。これによって、葬儀が寂しく見えない。また、この例では、僧侶８は現実の人である。
この疑似参加者７の画像は、この図ではどの人も同じ後ろ姿であるが、画面を操作して前から見ると、それぞれの人の顔が識別できる。これは、疑似参加者から送られた画像を処理して作成したものである。
【００３６】
このように、疑似参加者７について、だれが参加しているのか、また参加者の現在の画像（現状）が見えることによって、懐かしく思う人が多い。そして、まだ参加していない親戚、知人に連絡することもできる。
【００３７】
図４は、疑似参加者７が、焼香している図である。このように、まったく来ていない疑似参加者７でも、焼香に参加（仮想）できる。これも、並んで、所定の順序で行っていることを動画で示してもよい。これが見えると、参加している実感がわく。
【符号の説明】
【００３８】
１  メインコンピュータ
２  インターネット
３  疑似参加者コンピュータ
４  祭壇
５  献花
６  現実の参加者
７  疑似参加者
８  僧侶
【図１】
2019191692.tif 000003
【図２】
2019191692.tif 000004
【図３】
2019191692.tif 000005
【図４】
2019191692.tif 000006
【図５】
2019191692.tif 000007